【手続補正書】
【提出日】平成26年3月7日(2014.3.7)
【手続補正１】
【補正対象書類名】特許請求の範囲
【補正対象項目名】全文
【補正方法】変更
【補正の内容】
【特許請求の範囲】
【請求項１】
新生上皮組織と、隣接する組織層との間にアンカー点を形成する上皮形成ドレッシングにおいて、
第１の側面と第２の組織面側面とを有するドレッシング本体；
近位端部と遠位端部とをそれぞれ有する複数の突起であって、各近位端部が前記ドレッシング本体の前記第２の組織面側面に結合されており、および各突起の縦方向長さが、１０〜５０００ミクロンの範囲にある、複数の突起；
前記ドレッシング本体の一部分に形成された第１の複数のアパーチャ；および
前記複数の突起の各々の前記遠位端部に形成されたサブ構造
を含むことを特徴とする、上皮形成ドレッシング。
【請求項２】
請求項１に記載の上皮形成ドレッシングにおいて、前記サブ構造が、前記複数の突起の各突起の前記遠位端部に形成された溝を含むことを特徴とする、上皮形成ドレッシング。
【請求項３】
請求項１に記載の上皮形成ドレッシングにおいて、前記サブ構造が、前記複数の突起の各突起の前記遠位端部に形成された複数の隆起を含むことを特徴とする、上皮形成ドレッシング。
【請求項４】
請求項１に記載の上皮形成ドレッシングにおいて、前記サブ構造が、前記複数の突起の各突起の前記遠位端部に形成された波形を含むことを特徴とする、上皮形成ドレッシング。
【請求項５】
請求項１または請求項２〜４のいずれか一項に記載の上皮形成ドレッシングにおいて、前記第１の複数のアパーチャが複数のスリットを含むことを特徴とする、上皮形成ドレッシング。
【請求項６】
請求項１または請求項２〜５のいずれか一項に記載の上皮形成ドレッシングにおいて、前記複数の突起が複数の円錐状の突起を含み、各突起が、内部部分と前記遠位端部に複数の細孔とを有し、および前記細孔が、各突起に対して前記突起の前記内部部分と外部との間に流体連通をもたらすことを特徴とする、上皮形成ドレッシング。
【請求項７】
請求項１または請求項２〜４のいずれか一項に記載の上皮形成ドレッシングにおいて、前記複数の突起が複数の円錐状の突起を含むことを特徴とする、上皮形成ドレッシング。
【請求項８】
請求項１または請求項２〜７のいずれか一項に記載の上皮形成ドレッシングにおいて、前記複数の突起が、前記突起の内部部分に形成された供給溜めをさらに含むことを特徴とする、上皮形成ドレッシング。
【請求項９】
請求項１または請求項２〜８のいずれか一項に記載の上皮形成ドレッシングにおいて、前記複数の突起が、前記突起の内部部分に形成された供給溜めをさらに含み、および前記供給溜めが可溶性因子を含むことを特徴とする、上皮形成ドレッシング。
【請求項１０】
請求項１または請求項２〜８のいずれか一項に記載の上皮形成ドレッシングにおいて、前記複数の突起が、前記突起の内部部分に形成された供給溜めをさらに含み、および前記複数の突起および前記ドレッシング本体が生体再吸収性材料で形成されていることを特徴とする、上皮形成ドレッシング。
【請求項１１】
請求項１または請求項２〜１０のいずれか一項に記載の上皮形成ドレッシングにおいて、前記複数の突起の各突起のアスペクト比（前記複数の突起の平均的な突起の長い方の寸法を、前記複数の突起の前記平均的な突起の短い方の寸法によって割ったもの）が、１／１０〜１０の範囲にあることを特徴とする、上皮形成ドレッシング。
【請求項１２】
創傷の上皮形成を促進するシステムにおいて、
上皮形成ドレッシングにおいて、
第１の側面と第２の組織面側面とを有するドレッシング本体、
近位端部と遠位端部とをそれぞれ含む複数の突起であって、前記近位端部が前記ドレッシング本体の前記第２の組織面側面に結合されており、および各突起の縦方向長さが１０〜５０００ミクロンの範囲にある、複数の突起
前記ドレッシング本体の一部分に形成された複数のアパーチャ、および
前記複数の突起の各々の前記遠位端部に形成されたサブ構造；
を含む上皮形成ドレッシング；
前記創傷および上皮形成ドレッシングを覆って流体シールを形成するシール部材；
前記上皮形成ドレッシングに減圧を提供する減圧インターフェース；および
前記減圧インターフェースに流体結合された減圧源
を含むことを特徴とする、システム。
【請求項１３】
請求項１２に記載の創傷の上皮形成を促進するシステムにおいて、前記サブ構造が、前記複数の突起の各突起の前記遠位端部に形成された溝を含むことを特徴とする、システム。
【請求項１４】
請求項１２に記載の創傷の上皮形成を促進するシステムにおいて、前記サブ構造が、前記複数の突起の各突起の前記遠位端部に形成された複数の隆起を含むことを特徴とする、システム。
【請求項１５】
請求項１２、または請求項１２または１３または１４に記載の創傷の上皮形成を促進するシステムにおいて、前記複数のアパーチャが複数のスリットを含むことを特徴とする、システム。
【請求項１６】
請求項１２または請求項１２〜１５のいずれか一項に記載の創傷の上皮形成を促進するシステムにおいて、前記複数の突起が複数の円錐状の突起を含むことを特徴とする、システム。
【請求項１７】
請求項１２または請求項１３〜１５のいずれか一項に記載の創傷の上皮形成を促進するシステムにおいて、前記複数の突起が、前記遠位端部に細孔を有する複数の円錐状の突起を含むことを特徴とする、システム。
【請求項１８】
請求項１２または請求項１３〜１７のいずれか一項に記載の創傷の上皮形成を促進するシステムにおいて、前記複数の突起が、前記突起の内部部分に形成された供給溜めをさらに含むことを特徴とする、システム。
【請求項１９】
請求項１２または請求項１３〜１７のいずれか一項に記載の創傷の上皮形成を促進するシステムにおいて、前記複数の突起が、前記突起の内部部分に形成された供給溜めをさらに含み、および前記供給溜めが可溶性因子を含むことを特徴とする、システム。
【請求項２０】
請求項１２または請求項１３〜１７のいずれか一項に記載の創傷の上皮形成を促進するシステムにおいて、前記複数の突起が、前記突起の内部部分に形成された供給溜めをさらに含み、および前記複数の突起および前記ドレッシング本体が生体再吸収性材料で形成されていることを特徴とする、システム。
【請求項２１】
請求項１２または請求項１３〜２０のいずれか一項に記載の創傷の上皮形成を促進するシステムにおいて、前記複数の突起の各突起のアスペクト比（前記複数の突起の平均的な突起の長い方の寸法を、前記複数の突起の前記平均的な突起の短い方の寸法によって割ったもの）が、１／１０〜１０の範囲にあることを特徴とする、システム。
【請求項２２】
上皮形成ドレッシングの製造方法において、
医療グレードのポリマーから、第１の側面と第２の側面とを有するドレッシング本体を形成するステップと；
医療グレードのポリマーから、アスペクト比（複数の突起の平均的な突起の長い方の寸法を、複数の突起の前記平均的な突起の短い方の寸法によって割ったもの）が１／１０〜１０の範囲の複数の突起を形成するステップにおいて、前記突起が、内部部分と、前記突起の前記内部部分と外部部分とを流体的に結合する複数の細孔とを有して形成されるステップと；
前記ドレッシング本体の前記第２の側面に前記複数の突起を結合させるステップと
を含むことを特徴とする、方法。
【請求項２３】
請求項２２に記載の製造方法において、前記ドレッシング本体の一部分にアパーチャを形成することをさらに含むことを特徴とする、方法。
【請求項２４】
請求項２２に記載の製造方法において、ドレッシング本体を形成する前記ステップ、複数の突起を形成する前記ステップ、および前記複数の突起を結合させる前記ステップが、前記複数の突起を備える前記ドレッシング本体を成形することを含むことを特徴とする、方法。
【請求項２５】
創傷の上皮形成を促進する上皮形成ドレッシングにおいて、
医療グレードのポリマーから形成され、かつ第１の側面と第２の組織面側面とを有し、前記第１の側面と前記第２の組織面側面との間の流体連通を可能にするように動作可能な複数のアパーチャが形成されている、実質的に平面的な部材；および
前記第２の組織面側面に結合された複数のペグであって、複数のペグの各ペグが、１０〜５０００ミクロンの範囲の縦方向長さを有し、および１／１０〜１０の範囲のアスペクト比（複数のペグの平均的なペグの長い方の寸法を、複数のペグの前記平均的なペグの短い方の寸法で割ったもの）を有する、複数のペグ
を含むことを特徴とする、上皮形成ドレッシング。
【請求項２６】
創傷治療用の上皮形成ドレッシングの製造における生体再吸収性物質の使用において、前記治療が：
前記創傷床の前記肉芽組織に近接して上皮形成ドレッシングを展開配置することにおいて、前記上皮形成ドレッシングが：
第１の側面と第２の組織面側面とを有するドレッシング本体、および
近位端部と遠位端部とをそれぞれ有する複数の突起であって、前記近位端部が、前記ドレッシング本体の第２の組織面側面に結合されている、複数の突起
を含むこと；
前記上皮形成ドレッシングに圧縮力を発生させて、前記複数の突起が前記肉芽組織にぶつかるようにすること；および
上皮組織が前記突起に近接して形成されるだけの十分な時間を確保すること
を含むことを特徴とする、使用。